(57)【要約】      （修正有）【課題】汗による脈波検出精度の低下を抑制すると共に、装着者の不快感を軽減することができる生体情報検出装置等を提供する。【解決手段】生体情報検出装置１００は、被検体に装着され、被検体の生体情報を検出する検出部の検出窓９０が被検体側の第１の面に設けられるケース部３０と、ケース部に取り付けられるバンド部１１、１２と、ケース部の第１の面の検出窓の周りに設けられるパッド部１１０と、を含む。そして、パッド部には、検出窓へ空気が進入するための空気進入路が設けられる。【選択図】図２
2017023509.tif 000002
【特許請求の範囲】
【請求項１】
被検体に装着され、前記被検体の生体情報を検出する検出部の検出窓が前記被検体側の第１の面に設けられるケース部と、
前記ケース部に取り付けられるバンド部と、
前記ケース部の前記第１の面の前記検出窓の周りに設けられるパッド部と、
を含み、
前記パッド部には、
前記検出窓へ空気が進入するための空気進入路が設けられることを特徴とする生体情報検出装置。
【請求項２】
請求項１において、
前記パッド部は、
第１のパッド部と、
第２のパッド部と、
を有し、
前記空気進入路は、
前記第１のパッド部の第１の端部と、前記第１のパッド部の前記第１の端部に対向する前記第２のパッド部の第１の端部との間に設けられる第１の隙間部を含むことを特徴とする生体情報検出装置。
【請求項３】
請求項２において、
前記空気進入路は、
前記第１のパッド部の第２の端部と、前記第１のパッド部の前記第２の端部に対向する前記第２のパッド部の第２の端部との間に設けられる第２の隙間部をさらに含むことを特徴とする生体情報検出装置。
【請求項４】
請求項２又は３において、
前記第１の隙間部は、
前記バンド部の長辺方向に沿った隙間部であることを特徴とする生体情報検出装置。
【請求項５】
請求項１において、
前記パッド部は、
第１のパッド部〜第３のパッド部を有し、
前記空気進入路は、
前記第１のパッド部の第１の端部と、前記第１のパッド部の前記第１の端部に対向する前記第２のパッド部の第１の端部との間に設けられる第１の隙間部と、
前記第２のパッド部の第２の端部と、前記第２のパッド部の前記第２の端部に対向する前記第３のパッド部の第１の端部との間に設けられる第２の隙間部と、
を含むことを特徴とする生体情報検出装置。
【請求項６】
請求項５において、
前記パッド部は、
第４のパッド部をさらに有し、
前記空気進入路は、
前記第３のパッド部の第２の端部と、前記第３のパッド部の前記第２の端部に対向する前記第４のパッド部の第１の端部との間に設けられる第３の隙間部を含むことを特徴とする生体情報検出装置。
【請求項７】
請求項６において、
前記空気進入路は、
前記第４のパッド部の第２の端部と、前記第４のパッド部の前記第２の端部に対向する前記第１のパッド部の第２の端部との間に設けられる第４の隙間部を含むことを特徴とする生体情報検出装置。
【請求項８】
請求項１乃至７のいずれかにおいて、
前記空気進入路は、
屈曲形状又は曲線形状の進入路であることを特徴とする生体情報検出装置。
【請求項９】
請求項１において、
前記パッド部は、
前記検出窓の周りに設けられる第１のパッド部と、
前記第１のパッド部の周りに設けられる第２のパッド部と、
を含み、
前記第１のパッド部には、
前記検出窓の第１の方向側に第１の隙間部が設けられ、
前記第２のパッド部には、
前記第１の方向と交差する方向を第２の方向とした場合に、前記検出窓の前記第２の方向側に第２の隙間部が設けられることを特徴とする生体情報検出装置。
【請求項１０】
請求項１において、
前記パッド部は、
第１のパッド部と、
第２のパッド部と、
を有し、
前記空気進入路は、
第１の隙間部を有し、
第１の方向の逆方向を第２の方向とし、前記第１の方向と交差する方向を第３の方向とした場合に、
前記第１の隙間部の第１の隙間部端部は、
前記第１のパッド部の第１の端部の前記第１の方向側に位置し、
前記第１の隙間部の第２の隙間部端部は、
前記第２のパッド部の第１の端部の前記第２の方向側であり、且つ前記第１の隙間部端部の前記第３の方向側に位置することを特徴とする生体情報検出装置。
【請求項１１】
請求項１において、
前記パッド部は、
第１のパッド部と、
第２のパッド部と、
を有し、
前記第２のパッド部は、
前記検出窓を中心に前記第１のパッド部と点対称となるパッド部であることを特徴とする生体情報検出装置。
【請求項１２】
請求項１において、
前記空気進入路は、
第１の隙間部と、
第２の隙間部と、
を有し、
前記第２の隙間部は、
前記検出窓を中心に前記第１の隙間部と点対称となる隙間部であることを特徴とする生体情報検出装置。
【請求項１３】
請求項１乃至１２のいずれかにおいて、
前記パッド部は、
前記ケース部の前記第１の面を構成する材料よりも軟質な材料で形成されていることを特徴とする生体情報検出装置。
【請求項１４】
請求項１乃至１３のいずれかにおいて、
前記ケース部の前記第１の面は、
前記パッド部の少なくとも一部が挿入される凹部を有することを特徴とする生体情報検出装置。
【発明の詳細な説明】
【技術分野】
【０００１】
本発明は、生体情報検出装置等に関係する。
【背景技術】
【０００２】
近年、センシング技術の向上により腕時計型の活動計（生体情報検出装置）が各社から多く商品化されてきている。腕時計型の生体情報検出装置の中には、生体情報検出装置のケース部の裏側、すなわち被検体側に検出部（センサー部）が設けられているものがある。特に、そのような生体情報検出装置の中でも、検出部として光学センサーを利用したものは、他の方式のものに比べ、より正確に脈波を測定することができる。
【０００３】
この光学センサーは、発光部から照射する光の反射光を測定することで、脈波の計測を行う。そのため、外光の侵入があった場合には、脈波検出の精度が下がってしまう。この問題に対して、検出部の検出窓の周囲にドーナツ状の土手を設置し、手首との密着性を高めて、外部からの光の侵入を遮断する方法が提案されている。
【０００４】
また、特許文献１においては、生体測定装置と手首との密着性を高める技術として、生体測定装置と手首との間にパッドを採用する発明が開示されている。
【先行技術文献】
【特許文献】
【０００５】
【特許文献１】特開２００９−２４０５１１号公報
【発明の概要】
【発明が解決しようとする課題】
【０００６】
検出部の検出窓の周囲に土手を設けた場合には、手首と検出窓との間に小さな隙間ができる。この場合には、生体情報検出装置と腕の密着性が高まるため、この小さな隙間の空間は密閉されて、通気性がなくなり、空気の入れ替えが起こらない。そのため、ランニングなどの激しい運動時には、手首からの発汗により、この隙間の空間に水蒸気や汗が液体として溜まってしまう。その結果、検出部の検出窓が曇ったり、水分による光の屈折・反射が起こったりして、脈波検出性が下がることがある。また、小さな隙間に溜まった汗が運動時の振動によって動くため、装着者に不快感を与えることもある。
【０００７】
本発明の幾つかの態様によれば、汗による脈波検出精度の低下を抑制すると共に、装着者の不快感を軽減することができる生体情報検出装置等を提供することができる。
【課題を解決するための手段】
【０００８】
本発明の一態様は、被検体に装着され、前記被検体の生体情報を検出する検出部の検出窓が前記被検体側の第１の面に設けられるケース部と、前記ケース部に取り付けられるバンド部と、前記ケース部の前記第１の面の前記検出窓の周りに設けられるパッド部と、を含み、前記パッド部には、前記検出窓へ空気が進入するための空気進入路が設けられる生体情報検出装置に関係する。
【０００９】
本発明の一態様では、ケース部の第１の面に設けられる検出部の検出窓へ、空気が進入するための空気進入路が、パッド部に設けられる。よって、汗による脈波検出精度の低下を抑制すると共に、装着者の不快感を軽減することができる。
【００１０】
また、本発明の一態様では、前記パッド部は、第１のパッド部と、第２のパッド部と、を有し、前記空気進入路は、前記第１のパッド部の第１の端部と、前記第１のパッド部の前記第１の端部に対向する前記第２のパッド部の第１の端部との間に設けられる第１の隙間部を含んでいてもよい。
【００１１】
これにより、第１の隙間部を介して、手首と検出窓の隙間の空気を入れ替えること等が可能になる。
【００１２】
また、本発明の一態様では、前記空気進入路は、前記第１のパッド部の第２の端部と、前記第１のパッド部の前記第２の端部に対向する前記第２のパッド部の第２の端部との間に設けられる第２の隙間部をさらに含んでいてもよい。
【００１３】
これにより、第２の隙間部を介して、手首と検出窓の隙間の空気を入れ替えること等が可能になる。
【００１４】
また、本発明の一態様では、前記第１の隙間部は、前記バンド部の長辺方向に沿った隙間部であってもよい。
【００１５】
これにより、外光が検出部の検出窓に入射することを抑制し、脈波検出精度の低下を抑制することができる。
【００１６】
また、本発明の一態様では、前記パッド部は、第１のパッド部〜第３のパッド部を有し、前記空気進入路は、前記第１のパッド部の第１の端部と、前記第１のパッド部の前記第１の端部に対向する前記第２のパッド部の第１の端部との間に設けられる第１の隙間部と、前記第２のパッド部の第２の端部と、前記第２のパッド部の前記第２の端部に対向する前記第３のパッド部の第１の端部との間に設けられる第２の隙間部と、を含んでいてもよい。
【００１７】
これにより、少なくとも２つの方向から、手首と検出窓の隙間に空気を流入させること等が可能になる。
【００１８】
また、本発明の一態様では、前記パッド部は、第４のパッド部をさらに有し、前記空気進入路は、前記第３のパッド部の第２の端部と、前記第３のパッド部の前記第２の端部に対向する前記第４のパッド部の第１の端部との間に設けられる第３の隙間部を含んでいてもよい。
【００１９】
これにより、少なくとも３つの方向から、手首と検出窓の隙間に空気を流入させること等が可能になる。
【００２０】
また、本発明の一態様では、前記空気進入路は、前記第４のパッド部の第２の端部と、前記第４のパッド部の前記第２の端部に対向する前記第１のパッド部の第２の端部との間に設けられる第４の隙間部を含んでいてもよい。
【００２１】
これにより、少なくとも４つの方向から、手首と検出窓の隙間に空気を流入させること等が可能になる。
【００２２】
また、本発明の一態様では、前記空気進入路は、屈曲形状又は曲線形状の進入路であってもよい。
【００２３】
これにより、空気進入路が直線である場合に比べて、手首と検出窓の隙間への外光の侵入をさらに抑制すること等が可能になる。
【００２４】
また、本発明の一態様では、前記パッド部は、前記検出窓の周りに設けられる第１のパッド部と、前記第１のパッド部の周りに設けられる第２のパッド部と、を含み、前記第１のパッド部には、前記検出窓の第１の方向側に第１の隙間部が設けられ、前記第２のパッド部には、前記第１の方向と交差する方向を第２の方向とした場合に、前記検出窓の前記第２の方向側に第２の隙間部が設けられていてもよい。
【００２５】
これにより、空気の通り道を複雑に屈曲させて、手首と検出窓の隙間への外光の侵入を抑制すること等が可能になる。
【００２６】
また、本発明の一態様では、前記パッド部は、第１のパッド部と、第２のパッド部と、を有し、前記空気進入路は、第１の隙間部を有し、第１の方向の逆方向を第２の方向とし、前記第１の方向と交差する方向を第３の方向とした場合に、前記第１の隙間部の第１の隙間部端部は、前記第１のパッド部の第１の端部の前記第１の方向側に位置し、前記第１の隙間部の第２の隙間部端部は、前記第２のパッド部の第１の端部の前記第２の方向側であり、且つ前記第１の隙間部端部の前記第３の方向側に位置していてもよい。
【００２７】
これにより、外光の侵入を遮断するように空気進入路を曲げることができることに加え、シンプルな形状の組み合わせになることから、形状をアイコン化し、デザイン性の高い形状とすること等が可能になる。
【００２８】
また、本発明の一態様では、前記パッド部は、第１のパッド部と、第２のパッド部と、を有し、前記第２のパッド部は、前記検出窓を中心に前記第１のパッド部と点対称となるパッド部であってもよい。
【００２９】
これにより、外光の侵入を遮断するように空気進入路を曲げることができることに加え、シンプルな形状の組み合わせになることから、形状をアイコン化し、デザイン性の高い形状とすること等が可能になる。
【００３０】
また、本発明の一態様では、前記空気進入路は、第１の隙間部と、第２の隙間部と、を有し、前記第２の隙間部は、前記検出窓を中心に前記第１の隙間部と点対称となる隙間部であってもよい。
【００３１】
これにより、外光の侵入を遮断するように空気進入路を曲げることができることに加え、シンプルな形状の組み合わせになることから、形状をアイコン化し、デザイン性の高い形状とすること等が可能になる。
【００３２】
また、本発明の一態様では、前記パッド部は、前記ケース部の前記第１の面を構成する材料よりも軟質な材料で形成されていてもよい。
【００３３】
これにより、例えばシリコーンゲルは放熱効果があるため、発汗によって発生する熱を逃がすこと等が可能になる。
【００３４】
また、本発明の一態様では、前記ケース部の前記第１の面は、前記パッド部の少なくとも一部が挿入される凹部を有していてもよい。
【００３５】
これにより、第１の面からパッド部が脱落しにくくすること等が可能になる。
【図面の簡単な説明】
【００３６】
【図１】本実施形態の生体情報検出装置の上面（表面）の斜視図。
【図２】本実施形態の生体情報検出装置の下面（裏面）の斜視図。
【図３】生体情報検出装置の装着状態の説明図。
【図４】ケース部の第１の面とパッド部の説明図。
【図５】２つの隙間部を有する生体情報検出装置の説明図。
【図６】１つの隙間部を有する生体情報検出装置の説明図。
【図７】４つの隙間部を有する生体情報検出装置の説明図。
【図８】４つの隙間部を有する他の生体情報検出装置の説明図。
【図９】４つの隙間部を有する他の生体情報検出装置の説明図。
【図１０】点対称な隙間部を有する生体情報検出装置の説明図。
【図１１】点対称な隙間部を有する他の生体情報検出装置の説明図。
【図１２】点対称な隙間部を有する他の生体情報検出装置の説明図。
【図１３】第１の面に設けられた凹部の説明図。
【図１４】１つのバンドを有する生体情報検出装置の説明図。
【発明を実施するための形態】
【００３７】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３８】
１．概要
腕時計型の生体情報検出装置の中には、生体情報検出装置のケース部の裏側、すなわち被検体側に検出部（センサー部）が設けられているものがある。特に、そのような生体情報検出装置の中でも、検出部として光学センサーを利用するものは、他の方式のものに比べ、より正確に脈波を測定することができる。しかし、この光学センサーは、発光部から照射する光の反射光を測定することで、脈波の計測を行うため、検出窓に外光の侵入があった場合には、脈波検出の精度が下がってしまう。
【００３９】
そこで、本実施形態では、生体情報検出装置の検出部の検出窓の周囲にドーナツ状の土手を設置する。例えば、検出窓の周囲に配置するドーナツ状の土手としては、軟質材のパッドなどが考えられる。これにより、手首との密着性を高めると同時に、外部からの光の侵入を遮断することができる。
【００４０】
しかし、検出窓の周囲に軟質パッドの土手を設けた場合には、生体情報検出装置と腕の密着性が高まる一方で、手首と検出窓との間に小さな隙間ができてしまう。この小さな隙間の空間は、土手により密閉されているため、通気性がなく、空気の入れ替えが起こらない。そのため、ランニングなどの激しい運動時には、手首からの発汗により、この隙間の空間に水蒸気や汗が液体として溜まってしまう。その結果、検出部の検出窓が曇ったり、水分による光の屈折・反射が起こったりして、脈波検出性が下がることがある。このように、軟質パッドの使用により、腕への密着性が高まる一方で、検出窓周辺に汗が溜まりやすくなり、脈波検出の精度が低下してしまうことがある。また、小さな隙間に溜まった汗が運動時の振動によって動くため、装着者に不快感を与えることもある。
【００４１】
そこで、本実施形態の生体情報検出装置では、パッド部を設けることで検出部への外光の侵入を抑制すると共に、パッド部に空気進入路を設けることで、検出部の検出窓の周りの空気を入れ替え可能にする。
【００４２】
２．生体情報検出装置の構成例
次に、本実施形態の生体情報検出装置１００の構成例を図１及び図２に示す。図１には、生体情報検出装置１００の上面（表面）の斜視図を示し、図２には、生体情報検出装置１００の下面（裏面）の斜視図を示す。また、図１及び図２に示す生体情報検出装置１００を被検体の手首２００に装着した様子を図３に示す。ここで、生体情報検出装置１００の上面（表面）とは、後述するケース部３０に設けられる表示部７０の表示面が視認できる側の面であり、生体情報検出装置１００の下面（裏面）とは、後述するケース部３０に設けられる検出部の検出窓９０が視認できる側の面である。または、検出部、あるいは検出窓９０が設けられるケース部３０の面を下面としたときに、下面の法線に沿って下面から最も離れたケース部３０の面を上面ということもできる。あるいは、生体情報検出装置１００を被検体に装着した状態において、被検体と接触するケース部３０の面を下面、下面の法線方向に沿って下面から最も離れたケース部３０の面を上面ということもできる。
【００４３】
本実施形態の生体情報検出装置１００は、第１のバンド部１１と、第２のバンド部１２と、ケース部３０と、固定部（遊革、定革）４０と、美錠部（連結部）５０と、表示部７０と、操作部８０と、検出部（センサー部）と、パッド部１１０と、を含む。但し、生体情報検出装置１００は、図１及び図２の構成に限定されず、これらの一部の構成要素を省略したり、他の構成要素を追加したりするなどの種々の変形実施が可能である。
【００４４】
次に、生体情報検出装置１００の各部について説明する。第１のバンド部１１は、ケース部３０の一端に取り付けられ、第２のバンド部１２は、ケース部３０の他端に取り付けられる。ケース部３０は、生体情報検出装置１００を被検体に装着した時に被検体側に面する第１の面３１を有する。
【００４５】
そして、ケース部３０には、被検体の生体情報を検出する検出部（センサー部）の検出窓９０が、第１の面３１に設けられる。ここで、第１の面３１は、後述する図４に示すように、生体情報検出装置１００の装着時に被検体側になるケース部３０の一部の面である。
【００４６】
また、この検出部は、不図示の発光部と、不図示の受光部と、検出窓９０とを有しており、被検体に押し当てられた状態で、被検体の生体情報を検出する。具体的には、発光部から射出された光が、検出窓９０を介して、被検体に照射され、被検体から反射された光が、再度、検出窓９０を介して受光部に入射する。そして、検出部は、受光部が受光した反射光に基づいて、被検体の生体情報を検出する。ここで、検出窓９０は、発光部から射出される光と被検体から反射される反射光とを透過させる透明部材又は半透明部材により形成される。より具体的には、例えば検出窓９０は、透明のプラスチック等により形成される。そして、検出窓９０は、装着時において、発光部及び受光部と、被検体とを物理的に隔てる役割をする。また、受光部は、例えばフォトダイオード等の受光素子により実現でき、発光部は、例えばＬＥＤ等の発光素子により実現できる。
【００４７】
また、美錠部（連結部）５０は、第１のバンド部１１及び第２のバンド部１２を連結する。固定部（遊革、定革）４０は、第１のバンド部１１及び第２のバンド部１２が連結された状態で、第１のバンド部１１を第２のバンド部１２に沿って固定する。さらに、表示部７０は、各種情報を表示し、操作部８０は、ユーザーによる操作を受け付ける。
【００４８】
そして、パッド部１１０は、ケース部３０の第１の面３１の検出窓９０の周りに設けられ、さらに、検出窓９０へ空気が進入するための空気進入路が設けられる。ここで、パッド部１１０が検出窓９０の周りに設けられることは、パッド部１１０が、検出窓を中心として所与の距離範囲内に設けられることを意味する。この時、パッド部１１０は、必ずしも検出窓９０の全周囲に設けられる必要はない。すなわち、例えば検出窓９０を基準位置として所与の方向側にだけ、パッド部１１０が設けられても良い。これにより、図４に示すように、被検体の手首２００と検出窓９０の隙間の空気を入れ替えることができる。
【００４９】
具体的に、図４には、ケース部３０の第１の面３１側を図示している。図４の例では、図５を用いて詳細に後述するように、パッド部１１０は、第１のパッド部１１１と、第２のパッド部１１２とを有する。そして、第１のパッド部１１１及び第２のパッド部１１２の隙間部分が、手首２００と検出窓９０の隙間へ空気を通す空気進入路（１３１及び１３２）となる。
【００５０】
この時、外光ＳＬはパッド部１１１（１１２）により遮られる。よって、検出部の検出窓９０に外光ＳＬが入射しないようにすることできる。また、空気進入路（１３１及び１３２）により、検出窓９０と手首の隙間に空気ＡＩＲが流れ込むため、手首２００と検出窓９０の隙間の空気を循環させることが可能になる。その結果、検出窓９０が曇ったり、水分による光の屈折・反射が起こったりすることを防ぎ、脈波検出の精度の低下を抑制できる。また、手首２００と検出窓９０の隙間に汗が溜まることも防ぐことができるため、装着者に対して汗による不快感を与えないようにすることもできる。以上のように、本実施形態によれば、運動時の汗による脈波検出精度の低下を抑制すると共に、装着者の不快感を軽減することが可能となる。
【００５１】
次に、図５〜図１２を用いて、パッド部１１０について詳細に説明する。図５〜図１２には、ケース部３０の第１の面３１（裏面）に設けられたパッド部を図示している。
【００５２】
まず、図５の例では、パッド部１１０は、第１のパッド部１１１と、第２のパッド部１１２と、を有する。そして、空気進入路は、第１の隙間部１３１を含む。第１の隙間部１３１は、第１のパッド部１１１の第１の端部１１１１と、第１のパッド部１１１の第１の端部１１１１に対向する第２のパッド部１１２の第１の端部１１２１との間に設けられる。
【００５３】
ここで、第１のパッド部１１１の第１の端部１１１１とは、図５において点線で示すように、第１のパッド部１１１の一端の所定範囲を指す。同様にして、第２のパッド部１１２の第１の端部１１２１は、第１のパッド部１１１の第１の端部１１１１に対向する第２のパッド部１１２の一端の所定範囲を指す。
【００５４】
これにより、第１の隙間部１３１を介して、手首と検出窓９０の隙間の空気を入れ替えること等が可能になる。
【００５５】
また、図５に示すように、空気進入路は、第２の隙間部１３２をさらに含む。第２の隙間部１３２は、第１のパッド部１１１の第２の端部１１１２と、第１のパッド部１１１の第２の端部１１１２に対向する第２のパッド部１１２の第２の端部１１２２との間に設けられる。
【００５６】
ここで、第１のパッド部１１１の第２の端部１１１２とは、図５において点線で示すように、第１のパッド部１１１の第１の端部１１１１とは異なる他端の所定範囲を指す。同様にして、第２のパッド部１１２の第２の端部１１２２は、第１のパッド部１１１の第２の端部１１１２に対向し、第２のパッド部１１２の第１の端部１１２１とは異なる他端の所定範囲を指す。
【００５７】
これにより、第２の隙間部１３２を介して、手首と検出窓９０の隙間の空気を入れ替えること等が可能になる。また、第１の隙間部１３１だけでなく、第２の隙間部１３２があることで、手首と検出窓９０の隙間に空気をより通しやすくすることができる。なお、本例では、生体情報検出装置１００の装着部位が被検体の手首２００であるため、手首２００と検出窓９０の隙間の空気を入れ替え可能であると記載したが、本実施形態では、生体情報検出装置の装着部位は被検体の手首に限定されない。すなわち、本実施形態では、手首の他にも、腕や足、腹部などの装着部位と検出窓９０の隙間の空気を入れ替え可能である。
【００５８】
ただし、本実施形態では、空気進入路が必ずしも複数の隙間部を有しているとは限らず、図６に示すように、隙間部１３０を一カ所だけ有していてもよい。
【００５９】
ここで、隙間部は、検出窓９０と手首２００の隙間と、外部の空間を繋ぐ隙間のことである。検出窓９０と手首２００の隙間とは、厳密に言えば、ケース部３０の第１の面３１と、検出部の検出窓９０と、パッド部１１０と、手首２００とによりに囲まれる隙間のことである。ただし、前述したように、本実施形態では、生体情報検出装置１００の装着部位は手首に限定されないため、隙間部は、ケース部３０の第１の面３１と、検出部の検出窓９０と、パッド部１１０と、装着部位とによりに囲まれる隙間を、外部の空間に繋ぐ隙間であるとも言える。なお、隙間部は、図５や図６に示すように、パッド部の切れ目であってもよいし、パッド部に開けられた穴であってもよい。さらに、別の表現をするならば、パッド部１１０は、不連続領域を有していると言うこともできる。
【００６０】
また、空気進入路は、ケース部３０の第１の面３１と、検出部の検出窓９０と、パッド部１１０と、装着部位とによりに囲まれる隙間へ空気が進入するための他の隙間や穴（開口）等を含む。
【００６１】
また、前述した図４に示すように、第１の隙間部１３１は、バンド部１１（１２）の長辺方向ＬＤＲに沿った隙間部であってもよい。言い換えれば、検出部の検出窓９０を基準点とした場合に、バンド部１１（１２）の長辺方向ＬＤＲと平行な方向に、隙間部が設けられてもよい。つまり、生体情報検出装置１００を手首に装着した時に、外光が検出部の検出窓９０に侵入してくる方向に対して直交（交差）する向きに、空気の通り道を確保することできる。
【００６２】
これにより、外光が検出部の検出窓９０に入射することを抑制し、脈波検出精度の低下を抑制することができる。
【００６３】
また、パッド部１１０は、図７に示すように、二つ以上のパッド部を含んでいても良い。例えば、図７に示すように、パッド部１１０は、第１のパッド部１１１〜第３のパッド部１１３を有していてもよい。そして、この場合、空気進入路は、第１の隙間部１３１と、第２の隙間部１３２と、を含む。
【００６４】
具体的には、第１の隙間部１３１は、第１のパッド部１１１の第１の端部１１１１と、第１のパッド部１１１の第１の端部１１１１に対向する第２のパッド部１１２の第１の端部１１２１との間に設けられる。また、第２の隙間部１３２は、第２のパッド部１１２の第２の端部１１２２と、第２のパッド部１１２の第２の端部１１２２に対向する第３のパッド部１１３の第１の端部１１３１との間に設けられる。
【００６５】
これにより、少なくとも２つの方向から、手首と検出窓９０の隙間に空気を流入させること等が可能になる。
【００６６】
また、図７に示すように、パッド部１１０は、第４のパッド部１１４をさらに有していてもよい。そして、この場合、空気進入路は、第３の隙間部１３３をさらに含む。具体的に、第３の隙間部１３３は、第３のパッド部１１３の第２の端部１１３２と、第３のパッド部１１３の第２の端部１１３２に対向する第４のパッド部１１４の第１の端部１１４１との間に設けられる。
【００６７】
つまり、図７に示す例では、空気進入路は、前述した２つの隙間部（第１の隙間部１３１及び第２の隙間部１３２）に加えて、３つ目の隙間部（第３の隙間部１３３）を含んでも良い。より具体的に説明すれば、図７の例では、第１のパッド部１１１〜第４のパッド部１１４が順番に隣接して、検出窓９０を囲むように、円状に配置される。すなわち、第１のパッド部１１１が、第２のパッド部１１２と第４のパッド部１１４に隣接するように配置され、第２のパッド部１１２が、第１のパッド部１１１と第３のパッド部１１３に隣接するように配置され、第３のパッド部１１３が、第２のパッド部１１２と第４のパッド部１１４に隣接するように配置される。この時、第１のパッド部１１１と第３のパッド部１１３が検出窓９０を挟んで、対向する位置に配置され、第２のパッド部１１２と第４のパッド部１１４が検出窓９０を挟んで、対向する位置に配置される。
【００６８】
そして、第１のパッド部１１１と第２のパッド部１１２の隙間が第１の隙間部１３１になり、第２のパッド部１１２と第３のパッド部１１３の隙間が第２の隙間部１３２になり、第３のパッド部１１３と第４のパッド部１１４の隙間が第３の隙間部１３３になる。
【００６９】
これにより、少なくとも３つの方向から、手首と検出窓９０の隙間に空気を流入させること等が可能になる。
【００７０】
さらに、図７に示すように、空気進入路は、第４の隙間部１３４を含んでいてもよい。具体的に、第４の隙間部１３４は、第４のパッド部１１４の第２の端部１１４２と、第４のパッド部１１４の第２の端部１１４２に対向する第１のパッド部１１１の第２の端部１１１２との間に設けられる。つまり、前述したように、４つのパッド部が検出窓９０を中心に円状に配置された場合、第４のパッド部１１４と第１のパッド部１１１の隙間が第４の隙間部１３４になる。
【００７１】
これにより、少なくとも４つの方向から、手首と検出窓９０の隙間に空気を流入させること等が可能になる。また、隙間部の数が増えることで、手首と検出窓９０の隙間に空気をより流入しやすくすること等が可能になる。
【００７２】
また、図７の例では、空気進入路は、曲線形状の進入路である。言い換えれば、第１の隙間部１３１〜第４の隙間部１３４の各隙間部は、曲線形状の進入路である。
【００７３】
さらに、変形例として、空気進入路（第１の隙間部１３１〜第４の隙間部１３４の各隙間部）は、図８に示すような屈曲形状の進入路であってもよい。
【００７４】
これにより、空気進入路が直線である場合に比べて、手首と検出窓の隙間への外光の侵入をさらに抑制すること等が可能になる。
【００７５】
また、図４に示すバンド部１１（１２）の長辺方向ＬＤＲに沿って配置される第１の隙間部１３１や第３の隙間部１３３は、図５または図６のように直線形状で形成され、長辺方向ＬＤＲと直交する方向に沿って配置される第２の隙間部１３２や第４の隙間部１３４は、図７や図８に示すように曲線形状や屈曲形状で形成されていても良い。このように構成することで、遮光性を確保しながら通気性を備えることができる。その他にも、隙間部の形状については、種々の組み合わせが可能である。
【００７６】
また、パッド部１１０は、図９に示すような二重ドーナツ形状であってもよい。図９の例の場合、パッド部１１０は、検出窓９０の周りに設けられる第１のパッド部１１１と、第１のパッド部１１１の周りに設けられる第２のパッド部１１２と、を含む。第１のパッド部１１１と第２のパッド部１１２は、それぞれ２つのパッドにより構成される。
【００７７】
以下の説明において、バンド部１１（１２）の長辺方向ＬＤＲと直交する方向を第１の方向ＤＲ１とし、第１の方向ＤＲ１の反対方向を第２の方向ＤＲ２とする。そして、バンド部１１（１２）の長辺方向ＬＤＲに沿い、第１の方向ＤＲ１及び第２の方向ＤＲ２と直交する方向を第３の方向ＤＲ３とし、第３の方向ＤＲ３の反対方向を第４の方向ＤＲ４とする。
【００７８】
そして、第１のパッド部１１１には、検出窓９０の第１の方向ＤＲ１（またはＤＲ２）側に第１の隙間部１３１‐１（または１３１‐２）が設けられる。そして、第２のパッド部１１２には、第１の方向ＤＲ１（またはＤＲ２）と交差（直交）する方向を第２の方向ＤＲ３（またはＤＲ４）とした場合に、検出窓９０の第２の方向ＤＲ３（またはＤＲ４）側に第２の隙間部１３２‐１（または１３２‐２）が設けられる。
【００７９】
これにより、空気の通り道を複雑に屈曲させて、手首と検出窓の隙間への外光の侵入を抑制すること等が可能になる。また、図５〜図８に示すパッド形状と比較して、パッドの容積が小さいため、生体情報検出装置１００の軽量化等も可能になる。さらに、手首２００に対して接触面積を少なくすることで、肌の局所的な負担を軽減すること等も可能になる。
【００８０】
より単純で効果的なパッド部１１０の形状として、図１０に示すような２つのパッド部の組み合わせも考えられる。
【００８１】
図１０の例では、パッド部１１０は、第１のパッド部１１１と、第２のパッド部１１２と、を有する。つまり、図１０の例では、第１のパッド部１１１と、第２のパッド部１１２とが、お互いに噛み合うようにして配置される。そして、図１０の左下に拡大して示すように、空気進入路は、第１の隙間部１３１を有する。
【００８２】
ここで、第１の方向ＤＲ１の逆方向を第２の方向ＤＲ２とし、第１の方向ＤＲ１と交差する方向を第３の方向ＤＲ３として、第１の隙間部１３１について具体的に説明する。
【００８３】
図１０の左下に示すように、第１の隙間部１３１は、第１の隙間部端部１３１１と、第２の隙間部端部１３１２を有している。第２の隙間部端部１３１２は、第１の隙間部端部１３１１に対向する隙間部端部である。この場合に、第１の隙間部１３１の第１の隙間部端部１３１１は、第１のパッド部１１１の第１の端部１１１１の第１の方向ＤＲ１側に位置する。そして、第１の隙間部１３１の第２の隙間部端部１３１２は、第２のパッド部１１２の第１の端部１１２１の第２の方向ＤＲ２側であり、且つ第１の隙間部端部１３１１の第３の方向ＤＲ３側に位置する。
【００８４】
また、図１０の右下に示すように、空気進入路は、第２の隙間部１３２をさらに有する。そして、第２の隙間部１３２の第１の隙間部端部１３２１は、第１のパッド部１１１の第２の端部１１１２の第１の方向ＤＲ１側に位置する。また、第１の隙間部端部１３２１に対向する第２の隙間部端部１３２２は、第２のパッド部１１２の第２の端部１１２２の第２の方向ＤＲ２側であり、且つ第２の隙間部１３２の第１の隙間部端部１３２１の第３の方向ＤＲ３側に位置する。
【００８５】
これにより、外光の侵入を遮断するように空気進入路を曲げることができることに加え、シンプルな形状の組み合わせになることから、形状をアイコン化し、デザイン性の高い形状とすること等が可能になる。
【００８６】
また、図１０の例において、第２のパッド部１１２は、検出窓９０を中心に第１のパッド部１１１と点対称となるパッド部であるとも言える。ここで、点対称となるパッド部とは、検出窓９０の中心点を回転軸にして、一方のパッド部を１８０°回転させた時に、他方のパッド部と形状及び配置が略一致するパッド部のことをいう。ただし、第１のパッド部１１１及び第２のパッド部１１２の形状は完全一致でなくてもよい。
【００８７】
同様に、図１０の例において、空気進入路は、第２の隙間部１３２は、検出窓９０を中心に第１の隙間部１３１と点対称となる隙間部であるとも言える。ここで、点対称となる隙間部とは、検出窓９０の中心点を回転軸にして、一方の隙間部を１８０°回転させた時に、他方の隙間部と形状が略一致する隙間部のことをいう。ただし、第１の隙間部１３１及び第２の隙間部１３２の形状は完全一致でなくてもよい。
【００８８】
また、図１０に示すパッド部の変形例としては、図１１及び図１２に示すような変形例が考えられる。ただし、変形例はこれらに限定されない。
【００８９】
また、パッド部１１０は、ケース部３０の第１の面３１を構成する材料よりも軟質な材料で形成される。例えば、ケース部３０は、プラスチックや金属等により形成され、パッド部１１０はシリコーンゲル、低反発ウレタンフォーム、エラストマー、又は空気袋などにより形成される。例えばシリコーンゲルは放熱効果があるため、発汗によって発生する熱を逃がすこと等が可能になる。低反発ウレタンフォームは、低い反発弾性と遅い変形戻り性を特徴とする粘弾性ウレタンフォームであり、体圧分散特性、耐衝撃性、エネルギー吸収性に優れている。また、エラストマーは、ゴム弾性を有する工業用材料であり、より具体的には加硫ゴムや熱硬化性樹脂系エラストマーなどが挙げられる。空気袋は、前述したシリコーンゲルやエラストマー等で袋を形成し、内部に空気を充填したものである。
【００９０】
また、パッド部１１０は、黒色であってもよい。軟質パッドの色を黒にすることで、光を吸収するため、遮光性を高めることができる。
【００９１】
さらに、パッド部１１０は、小さな凹凸を有していてもよい。例えば、パッド部１１０の表面に、シボ加工を施してもよい。シボ加工とは、表面処理の一つで、物理的にシワ模様（微細な凹凸）をつけることである。パッド部１１０の表面に細かい凸凹（シボなど）をつけることにより、光を吸収して遮光性を高めることができる。
【００９２】
また、ここまでに説明したパッド部１１０の形状、配置及び性質は、軟質材により形成されるパッドだけでなく、硬質樹脂のケースで造形する土手形状にも応用可能である。ケース部３０に形成される土手形状も、パッド部１１０と同様に、検出窓９０へ外光の侵入を防ぐために設けられるものである。土手形状に空気進入路を設ける場合には、図５〜図１２に示すパッド部１１０と同様の形状を硬質樹脂で形成してもよい。
【００９３】
そして、図１３に示すように、ケース部３０の第１の面３１は、パッド部１１０の少なくとも一部が挿入される凹部１５１（１５２）を有している。図１３の例では、第１のパッド部１１１が、裏面に、凹部１５１と嵌合可能な不図示の凸部を有しており、第１のパッド部１１１と凹部１５１が嵌合する。同様に、第２のパッド部１１２が、裏面に、凹部１５２と嵌合可能な不図示の凸部を有しており、第２のパッド部１１２と凹部１５２が嵌合する。
【００９４】
ここで、凹部１５１（１５２）は、ケース部３０の第１の面３１に形成された窪み又は溝である。例えば凹部１５１（１５２）は、前述したように、パッド部の裏面に設けられた凸部と嵌合可能な形状である。
【００９５】
これにより、第１の面３１からパッド部１１０が脱落しにくくすること等が可能になる。
【００９６】
また、ここまでに説明してきた本実施形態は、図１に示すような第１のバンド部１１と第２のバンド部１２を有する生体情報検出装置１００だけでなく、図１４に示すような、一本のバンド部１０だけを有する生体情報検出装置１００にも適用可能である。図１４に示す生体情報検出装置１００は、バンド部１０の裏面にケース部３０が設けられている。そして、本実施形態のパッド部１１０は、そのケース部３０の第１の面（装着時に被検体側になる面）に設けられる。
【００９７】
以上で説明してきたように、従来例では運動時の発汗によるセンサー精度の低下を抑えることができなかった。従来例では、肌への密着性を上げることのみを目指しており、密着性を高めることで顕著化する発汗による光学センサーへの悪影響が考慮されていなかったためである。本実施形態では、検出部と手首との間にある空気を密閉状態にせず、循環を促すことで、脈波検出性を高めることができる。これにより、発汗による蒸れやたまった汗による装着者の不快感も軽減することができる。
【００９８】
また、図１４に示すような生体情報検出装置１００では、ケース部３０の第１の面に、検出部の検出窓９０が設けられない場合もある。本実施形態は、そのような生体情報検出装置１００にも適用可能である。例えば、生体情報検出装置１００は、ケース部３０と、ケース部３０に取り付けられるバンド部１１（１２）と、ケース部３０の被検体側の第１の面３１に設けられるパッド部１１０と、を含む。そして、パッド部１１０には、生体情報検出装置１００の装着時におけるケース部３０と被検体との隙間に、空気が進入するための空気進入路が設けられる。換言すると、ケース部３０の裏面に検出部が配置され、当該検出部の周りにパッド部１１０あるいは隙間部１３０が配置されるように構成しても良い。この場合においても、発汗による蒸れやたまった汗による装着者の不快感を軽減することができる。
【００９９】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、生体情報検出装置の構成、動作も本実施形態で説明したものに限定されず、種々の変形実施が可能である。
【符号の説明】
【０１００】
１０…バンド部、１１…第１のバンド部、１２…第２のバンド部、３０…ケース部、
３１…第１の面、７０…表示部、８０…操作部、９０…検出窓、
１００…生体情報検出装置、１１０…パッド部、１１１…第１のパッド部、
１１２…第２のパッド部、１１３…第３のパッド部、１１４…第４のパッド部、
１３０…隙間部、１３１…第１の隙間部、１３１‐１…第１の隙間部、
１３１‐２…第１の隙間部、１３２…第２の隙間部、１３２‐１…第２の隙間部、
１３１‐２…第２の隙間部、１３３…第３の隙間部、１３４…第４の隙間部、
１５１…凹部、１５２…凹部、１１１１…第１の端部、１１１２…第２の端部、
１１２１…第１の端部、１１２２…第２の端部、１１３１…第１の端部、
１１３２…第２の端部、１１４１…第１の端部、１１４２…第２の端部、
１３１１…第１の隙間部端部、１３１２…第２の隙間部端部、
１３２１…第１の隙間部端部、１３２２…第２の隙間部端部
【図１】
2017023509.tif 000003
【図２】
2017023509.tif 000004
【図３】
2017023509.tif 000005
【図４】
2017023509.tif 000006
【図１３】
2017023509.tif 000007
【図１４】
2017023509.tif 000008
【図５】
2017023509.tif 000009
【図６】
2017023509.tif 000010
【図７】
2017023509.tif 000011
【図８】
2017023509.tif 000012
【図９】
2017023509.tif 000013
【図１０】
2017023509.tif 000014
【図１１】
2017023509.tif 000015
【図１２】
2017023509.tif 000016